(57)【要約】【課題】本発明は、例えば、道路をアスファルト舗装した際に、アスファルトの路面を転圧板により締め固める振動締固め機の散水装置に関し、貯水タンクと散水ノズルとの組立工数削減が課題である。【解決手段】散水装置の枠体の下部に設けられ起振装置で振動される転圧板と、前記枠体に着脱自在に設けられる貯水タンクと、該貯水タンクに接続され前記転圧板の下面に水を散布する散水ノズルとからなる振動締固め機の散水装置において、前記貯水タンク５と散水ノズル６とが、合成樹脂をブロー成形方法により一体成形して形成されていることとするものである。【選択図】    図４
2004211352.tif 000002
【特許請求の範囲】
【請求項１】
散水装置の枠体の下部に設けられ起振装置で振動される転圧板と、前記枠体に着脱自在に設けられる貯水タンクと、該貯水タンクに接続され前記転圧板の下面に水を散布する散水ノズルとからなる振動締固め機の散水装置において、
前記貯水タンクと散水ノズルとが、合成樹脂をブロー成形方法により一体成形して形成されていること、
を特徴とする振動締固め機の散水装置。
【請求項２】
貯水タンクと散水ノズルとの接続部に、外部に連通し開閉バルブを着脱自在に装着するための開口部を設けたこと、
を特徴とする請求項１に記載の振動締固め機の散水装置。
【請求項３】
細長い筒状である散水ノズルの長手方向の両端部は、外部に連通して開口された開口部が設けられ、該開口部に閉蓋用の蓋部材が設けられること、
を特徴とする請求項１または２に記載の振動締固め機の散水装置。
【発明の詳細な説明】
【０００１】
【発明の属する技術分野】
本発明は、例えば、道路をアスファルト舗装した際に、アスファルトの路面を転圧板により締め固める振動締固め機の散水装置に関する。
【０００２】
【従来の技術】
従来において、アスファルトの路面を起振装置を有した振動締固め機により、転圧板で締め固めている。その際に、アスファルトが前記転圧板に付着しないように、貯水タンクと散水パイプとにより、前記転圧板の下面に水を供給している。
【０００３】
このような振動締固め機の散水装置としては、パイプ支柱に転圧板と該転圧板を振動させる起振装置と、貯水タンクと、該貯水タンクと導管を介して接続され前記転圧板下に散水する散水ノズルとが設けられて成るものが知られている（例えば、特許文献１参照。）。
【０００４】
【特許文献１】
特開２０００−２９０９２１号公報（第１頁〜第４頁、第１図〜第２図）
【０００５】
【発明が解決しようとする課題】
しかしながら、前記貯水タンクと散水ノズルとは、導管を介して接続されるものであって、別々に形成されたものを組み立てている。よって、貯水タンクに前記導管と散水ノズルを組み立てる工数が必要となって、製造コストが嵩むことになる。また、部品点数が多く、部品の管理コストも嵩むものである。本発明に係る振動締固め機の散水装置は、このような課題を解決するために提案されたものである。
【０００６】
【課題を解決するための手段】
上記課題を解決するために、本発明に係る振動締固め機の散水装置の要旨は、散水装置の枠体の下部に設けられ起振装置で振動される転圧板と、該転圧板に振動を加える起振装置と、前記枠体に着脱自在に設けられる貯水タンクと、該貯水タンクに接続され前記転圧板の下面に水を散布する散水ノズルとからなる振動締固め機の散水装置において、前記貯水タンクと散水ノズルとが、合成樹脂をブロー成形方法により一体成形して形成されていることである。
【０００７】
また、貯水タンクと散水ノズルとの接続部に、外部に連通し開閉バルブを装着するための開口部を設けたこと、；
更に、細長い筒状である散水ノズルの長手方向の両端部は、外部に連通して開口された開口部が設けられ、該開口部に閉蓋用の蓋部材が設けられること、；
を含むものである。
【０００８】
本発明に係る振動締固め機の散水装置によれば、貯水タンクと導管及び散水ノズルの３点を、ポリエチレン等の合成樹脂でブロー成形により、一体成形するので、部品点数が削減されると共に、組立工数が低減される。更に、貯水タンクと散水ノズルとの接続部に、外部に連通し開閉バルブを着脱自在に装着するための開口部を設けたことで、取付が容易でメンテナンスが容易となる。そして、細長い筒状である散水ノズルの長手方向の両端部は、外部に連通して開口された開口部が設けられ、該開口部に閉蓋用の蓋部材が設けられるので、散水ノズルの内部に残留した水を確実に外部へ排出することができる。
【０００９】
【発明の実施の形態】
次に、本発明に係る振動締固め機の散水装置１について、図面を参照して説明する。該振動締固め機の散水装置１は、図１乃至図３に示すように、金属製のパイプでなる枠体２の下部に設けられ起振装置４（図示せず）で振動される転圧板３と、前記枠体２に着脱自在に設けられる貯水タンク５と、該貯水タンク５に接続され前記転圧板３の下面に水を散布する散水ノズル６とから概ね構成されている。
【００１０】
そして、図４乃至図５に示すように、前記貯水タンク５と散水ノズル６とが、ポリエチレン等の合成樹脂をブロー成形方法により一体成形されている。この貯水タンク５には、その下部の片側に、散水ノズル６に連通する接続部５ａが形成され、そこに、外部に連通する開口部５ｂが設けられている。
【００１１】
前記開口部５ｂには、水の流出を制御する開閉バルブ７が、着脱自在に装着される。その装着方法では、例えば、開口部５ｂの端部にネジ溝が刻設され、キャップ７ａにより前記開閉バルブ７が装着されるものである。水を散水させるときには、バルブ７ｂを開方向に廻して、貯水タンク５から散水ノズル６に水を給水させるものである。
【００１２】
前記散水ノズル６には、複数個の散水孔６ａが設けられる。この散水孔６ａから転圧板３の前方に水を散布するものである。また、この散水ノズル６には、細長い筒状のノズルの長手方向の両端部に、外部に連通して開口された開口部６ｂ，６ｃが設けられる。該開口部６ｂ，６ｃに閉蓋用の蓋部材８が設けられる。
【００１３】
前記蓋部材８があることで、前記散水ノズル６内に残留する水を確実に排水させることができる。なお、前記開口部６ｂ，６ｃは必ずしも必要ではなく、ブロー成形時に、壁面を設けて閉蓋させることができる。その場合には、前記蓋部材８は不要となる。
【００１４】
前記貯水タンク５を枠体２に着脱自在に取り付ける構造は、当該枠体２のパイプにワンタッチで装着できるように、例えば、図２、図５、図７（Ｂ）にそれぞれ示すように、前記貯水タンク５の下部と側部両側とに、枠体２における前方縦パイプ２ａ，２ｂと前方横パイプ２ｃとに嵌合させるべく、弾性的に変形して係止される固定用係止部５ｃ，５ｄ，５ｅが３箇所に設けられている。
【００１５】
これにより、貯水タンク５を枠体２に対して、上方からまず、貯水タンク下部の係止部５ｃを前方横パイプ２ｃに載せ、貯水タンク５の側部両側の係止部５ｄ，５ｅをそれぞれ前方縦パイプ２ａ，２ｂに弾性変形させて嵌合させて、ワンタッチで装着するものである。貯水タンク５を枠体２から取り外すときには、上記手順の逆で行うものである。
【００１６】
このようにして形成される振動締固め機の散水装置１は、貯水タンク５と散水ノズル６と、及び接続部５ａが一体成形されるので、貯水タンク５の組立工数が低減されることになり、部品点数も削減される。また、貯水タンク５と一体に散水ノズル６が設けられているので、アスファルト舗装において、散水が不要であれば、貯水タンク５を取り外すことで、同時に散水ノズル６も撤去されることになる。よって、転圧板３側に散水ノズルが残って塵埃等で散水孔が詰まる等の従来の障害が、本発明の振動締固め機の散水装置１では生じないものである。
また、貯水タンク５の下部の側方に開口部５ｂが設けられて、そこに、開閉バルブ７があるので、作業者が貯水タンク５の側方にて、散水の開始若しくは停止の作業ができるので、作業性が良いものである。
【００１７】
【発明の効果】
上記説明したように、本発明に係る振動締固め機の散水装置は、散水装置の枠体の下部に設けられ起振装置で振動される転圧板と、前記枠体に着脱自在に設けられる貯水タンクと、該貯水タンクに接続され前記転圧板の下面に水を散布する散水ノズルとからなる振動締固め機の散水装置において、前記貯水タンクと散水ノズルとが、合成樹脂をブロー成形方法により一体成形して形成されているので、貯水タンクの製造コストが低減され、更に、部品点数も削減され管理コストが低減すると言う優れた効果を奏するものである。また、散水ノズルも貯水タンクとともにあるので、枠体から貯水タンクを着脱させることで同時に散水ノズルも着脱させることになり、散水しない作業において散水ノズルの詰まり・汚れ等が防止され、着脱の手間が省けるものである。
【００１８】
また、貯水タンクと散水ノズルとの接続部に、外部に連通し開閉バルブを装着するための開口部を設けたこと、更に、細長い筒状である散水ノズルの長手方向の両端部は、外部に連通して開口された開口部が設けられ、該開口部に閉蓋用の蓋部材が設けられることにより、散水作業及びメンテナンスが容易となり、散水ノズル内部に残留する水も確実に排水できるようになると言う優れた効果を奏するものである。
【図面の簡単な説明】
【図１】本発明に係る振動締固め機の散水装置１の斜視図である。
【図２】同本発明に係る振動締固め機の散水装置１の一部を分解して示す背面側斜視図である。
【図３】同振動締固め機の散水装置１の背面図である。
【図４】同振動締固め機の散水装置１における貯水タンク５の、一部を断面にして示す正面図である。
【図５】図４におけるＸ−Ｘ線に沿った断面図である。
【図６】振動締固め機の散水装置１における貯水タンク５のカイコ凹部５ｂに、開閉バルブ７を装着する様子を断面にして示す説明図（Ａ），（Ｂ）である。
【図７】振動締固め機の散水装置１の側面図（Ａ）と、Ｙ−Ｙ線に沿った半断面図（Ｂ）である。
【符号の説明】
１          振動締固め機の散水装置、  ２          枠体、
２ａ        前方縦パイプ、            ２ｂ        前方縦パイプ、
２ｃ        前方横パイプ、            ３          転圧板、
４          起振装置、                ５          貯水タンク、
５ａ        接続部、                  ５ｂ        開口部、
５ｃ，５ｄ，５ｅ  固定用係止部、
６          散水ノズル、              ７          開閉バルブ、
８          蓋部材。
【図１】
2004211352.tif 000003
【図２】
2004211352.tif 000004
【図３】
2004211352.tif 000005
【図４】
2004211352.tif 000006
【図５】
2004211352.tif 000007
【図６】
2004211352.tif 000008
【図７】
2004211352.tif 000009